(57)【要約】【課題】穿孔により発生するコンクリート粉の排出を効率的に行うことで、加振装置部の機能を最大限発揮させることができるドリル工具を提供する。【解決手段】モータで偏心ウエイト１５，１６を互いに逆方向に回転駆動することにより、ビット駆動軸３の軸線方向に作用して大きさが脈動する加振力とビット駆動軸３の回転方向に作用して大きさが脈動する加振モーメントとを発生させるドリル工具１において、前記ビット駆動軸３の内部に通気経路３ａを設けるとともに、前記通気経路３ａに圧縮空気を供給可能に形成し、前記通気経路３ａに供給された圧縮空気が前記ダイヤビット４の先端部から吹き出すようにした。【選択図】図７
2013215832.tif 000002
【特許請求の範囲】
【請求項１】
装置本体に収容した駆動源と、該駆動源によって回転駆動されるとともに上記装置本体の前方側に突出して設けられたビット駆動軸と、該ビット駆動軸の先端部に取り付けられたダイヤビットとを備え、
ダイヤビット駆動用モータとは別のモータの出力軸の軸線を挟んで対称位置に対向するとともに前記別のモータの出力軸の軸線に直交する軸線のまわりに回転可能に配置された偏心ウエイトを有する加振装置部を備え、前記モータで偏心ウエイトを互いに逆方向に回転駆動することにより、前記ビット駆動軸の軸線方向に作用して大きさが脈動する加振力と上記ビット駆動軸の回転方向に作用して大きさが脈動する加振モーメントとを発生させるドリル工具において、
前記ビット駆動軸に、圧縮空気を軸方向に供給可能な通気経路を形成するとともに、
前記ビット駆動軸の先端部に、前記通気経路に供給された圧縮空気が吹き出し可能な開口部を設けたことを特徴とする、ドリル工具。
【請求項２】
請求項１記載のドリル工具と、
前記ビット駆動軸の前記通気経路に接続されて、圧縮空気を前記通気経路に供給する給気手段と、
を備えたことを特徴とする、ドリル装置。
【発明の詳細な説明】
【技術分野】
【０００１】
この発明は、加振装置部を備えたドリル工具及びドリル装置に関するものである。
【背景技術】
【０００２】
一般に、コンクリートドリル工具としては、ハンマードリルや振動ドリル、ダイヤモンドドリルが知られている。
【０００３】
このうち、ダイヤモンドドリルは、略円筒状或いは略円柱状のビットの先端に、メタルボンドと呼ばれる焼結金属の中にダイヤモンド粒が埋め込まれたダイヤチップが取付けられたダイヤビットが用いられており、このダイヤビットに押し付け力と回転を加えることにより、ビット先端のダイヤチップのダイヤモンドをコンクリートに食い込ませ、コンクリートを研削して穿孔する。
【０００４】
ダイヤモンドドリルは穿孔時の発生音が小さく、また、ハンマードリルや振動ドリルのように打撃力や衝撃力を伝播させることがないため、穿孔作業箇所から離れた所に位置する部屋では穿孔作業時でもかなり静かであって、同一建物内や近隣の家屋に居住しながらの施工が可能である。
【０００５】
こうしたダイヤモンドドリルの穿孔速度を向上させるためには、ダイヤモンドがコンクリートを削る量を増やす必要がある。このための手段としては、ダイヤビットの回転数を増して単位時間に削る量を増やすことや、ダイヤビット、即ち工具本体をコンクリートへ押し付ける力を増大させてダイヤモンドのコンクリートへの食い込み量を増大させることで削る量を増やすことが考えられる。しかしながら、このダイヤビットの回転数と押し付け力とをバランスさせることが重要であり、押し付け力が不足している状態でダイヤビットの回転数を増大させても、ダイヤビットのビット先端が充分にコンクリートに食い込むことができない状態のままダイヤビットが回転してしまい、ダイヤビットが早期に磨耗して穿孔が困難となってしまう。また、一般的に、作業者が穿孔作業中に持続発揮できるダイヤビット（工具）の押し付け力は１０〜１５ｋｇｆ程度といわれており、作業者が自身の体力だけに基づいてダイヤビット（工具）の押し付け力を増大させることには限度がある。この結果、ダイヤモンドドリルの穿孔速度を向上させようとしても限界がある。加えて、作業者が発揮できる押し付け力に限度がある状況下において、より大径の穿孔を行なおうとすると、穿孔径が大きくなるにつれてダイヤモンド一粒あたりの押し付け力が減少することになり、この点からも穿孔速度を向上させることが困難である。
【０００６】
このような問題点を解決するには、例えば、加振力を付与する加振装置をコンクリートドリル装置本体に設けることが有効である。例えば特許文献１には、ダイヤビット駆動用モータとは別のモータの出力軸の軸線を挟んで対称位置に対向するとともに前記別のモータの出力軸の軸線に直交する軸線のまわりに回転可能に配置された偏心ウエイトを有する加振装置部を備え、前記モータで偏心ウエイトを互いに逆方向に回転駆動することにより、ビット駆動軸においてもその軸線方向に作用して大きさが脈動する加振力と、ビット駆動軸の回転方向に作用して大きさが脈動する加振モーメントとをビット駆動軸に発生させるようにした発明が開示されている。この発明によれば、ドリル工具の押付力を作業者の押付力と加振力との総和とすることができ、加振力によって作業者の押付力を補うことができる。また、ビット駆動軸の回転方向に大きさが脈動する加振モーメントを作用させることにより、ビット駆動軸の回転トルクを駆動源の出力と加振モーメントとを足し合わせたものとすることができ、駆動源の出力だけによる回転トルクよりも増加させた状態を得ることができる。したがって、小さな押付力での穿孔が可能となり、穿孔速度の向上を図ることができる。
【０００７】
しかし、穿孔する穴が深くなると、コンクリート粉が排出されない影響が顕著となり、穴底の粉がビットに対するクッションとなってビットの食い付きを阻害することで、加振の効果を低減させてしまう。さらに、その後は、穴とビットの間に粉が詰まることでビットの回転を著しく低下させ、穿孔を継続することが出来なくなる場合がある。
【先行技術文献】
【特許文献】
【０００８】
【特許文献１】特許第４７４２６１３号公報
【発明の概要】
【発明が解決しようとする課題】
【０００９】
本発明は、上記したような加振装置部を備えたドリル工具において、穿孔により発生するコンクリート粉の排出を効率的に行うことで、深い穴を穿孔するような場合であっても、加振装置部の機能を最大限発揮させることができるドリル工具を提供することを課題とする。
【課題を解決するための手段】
【００１０】
本発明は、上記した課題を解決するためになされたものであり、以下を特徴とする。
【００１１】
（請求項１）
請求項１に記載の発明は、以下の点を特徴とする。
【００１２】
すなわち、請求項１に記載のドリル工具は、装置本体に収容した駆動源と、該駆動源によって回転駆動されるとともに上記装置本体の前方側に突出して設けられたビット駆動軸と、該ビット駆動軸の先端部に取り付けられたダイヤビットとを備え、ダイヤビット駆動用モータとは別のモータの出力軸の軸線を挟んで対称位置に対向するとともに前記別のモータの出力軸の軸線に直交する軸線のまわりに回転可能に配置された偏心ウエイトを有する加振装置部を備え、前記モータで偏心ウエイトを互いに逆方向に回転駆動することにより、前記ビット駆動軸の軸線方向に作用して大きさが脈動する加振力と上記ビット駆動軸の回転方向に作用して大きさが脈動する加振モーメントとを発生させるドリル工具において、前記ビット駆動軸に、圧縮空気を軸方向に供給可能な通気経路を形成するとともに、前記ビット駆動軸の先端部に、前記通気経路に供給された圧縮空気が吹き出し可能な開口部を設けたことを特徴とする。
【００１３】
（請求項２）
請求項２に記載の発明は、以下の点を特徴とする。
すなわち、請求項２に記載のドリル装置は、請求項１記載のドリル工具と、前記ビット駆動軸の前記通気経路に接続されて、圧縮空気を前記通気経路に供給する給気手段と、を備えたことを特徴とする。
【発明の効果】
【００１４】
請求項１に記載の発明は上記の通りであり、ダイヤビット駆動用モータとは別のモータの出力軸の軸線を挟んで対称位置に対向するとともに前記別のモータの出力軸の軸線に直交する軸線のまわりに回転可能に配置された偏心ウエイトを有する加振装置部を備え、前記モータで偏心ウエイトを互いに逆方向に回転駆動することにより、加振装置部を備えたビット駆動軸において、その軸線方向に作用して大きさが脈動する加振力と、ビット駆動軸の回転方向に作用して大きさが脈動する加振モーメントとをビット駆動軸に発生させることで、作業者の押付力を補い、また、回転トルクを増加させた状態を得ることができ、前記ビット駆動軸の内部に通気経路を設けるとともに、前記通気経路に圧縮空気を供給可能に形成して、前記通気経路に供給された圧縮空気が前記ビットの先端部から脈動を有した非定常な流れとなって吹出すようにしたので、ビットの先端部から吹出す圧縮空気によってコンクリート粉の排出を効率的に行うことができ、コンクリート粉がクッションとなって加振装置の機能が低下する問題や、ビットの回転速度を低下させるといった問題が発生せず、加振装置の機能を最大限発揮させることができる。
【００１５】
従って、従来の加振方式のドリル工具では作業が困難であった深い穴の穿孔作業が、小さな押付力で可能となり、穿孔速度の向上を図ることができる。
【００１６】
また、請求項２に記載の発明は上記の通りであり、請求項１に記載のドリル工具の機能により、ドリル装置としても同様な加振装置の機能を最大限発揮させることができる。
【図面の簡単な説明】
【００１７】
【図１】コンクリートドリルの斜視図である。
【図２】コンクリートドリルの縦断面図である。
【図３】コンクリートドリルの平面の要部断面図と偏心ウエイトと力の関係図である。
【図４】コンクリートドリルの遅延制御ブロック図である。
【図５】加振装置が作動することによる効果を示すグラフ図である。
【図６】コンクリートドリルの使用状態図である。
【図７】コンクリートドリルの使用状態図であって、ダイヤビットの先端付近の拡大断面図である。
【図８】加振の有無、圧縮空気供給の有無による穿孔性能比較グラフである。
【発明を実施するための形態】
【００１８】
以下、図面を参照しつつ、本発明の実施形態について説明する。
【００１９】
図１に示すように、本実施形態に係るコンクリートドリル１は、装置本体２に収容した駆動源によりビット駆動軸３を回転駆動して、前記装置本体２の前方に突出させたビット駆動軸３の先端に取り付けたダイヤビット４を回転させることによりコンクリートに穿孔させるようにしたものである。
【００２０】
装置本体２には図２に示されるように、駆動源として電力で作動する加振装置用モータ５とビット駆動軸用モータ６とが設けられている。加振装置用モータ５は加振装置７に作動連結されている。すなわち、図３に示されるように、加振装置用モータ５の出力軸８にはベベルギア９が固定され、このベベルギア９の左右両側には互いに対向する２つのベベルギア１０、１１が噛合している。対向する各ベベルギア１０、１１の回転軸１３、１４にはそれぞれ偏心ウエイト１５、１６が一体的に固定されている。偏心ウエイト１５、１６は半円状に形成され、中心には軸孔が形成されている。偏心ウエイト１５、１６はそれぞれベベルギア１０、１１と一体に回転する。
【００２１】
上記構成によれば、加振装置用モータ５を作動させることにより、その回転力はベベルギア９、１０、１１を介して偏心ウエイト１５、１６に伝達され、対向する２つの偏心ウエイト１５、１６は互いに逆方向に回転する。
【００２２】
次に、図２に示されるように、ビット駆動軸用モータ６は駆動装置に作動連結されている。すなわち、ビット駆動軸用モータ６の出力軸１７には歯車１８が形成され、この歯車は中間の減速用の歯車１９を介してビット駆動軸３の歯車２０に噛合している。ビット駆動軸３は装置本体２の前方に突出している。ビット駆動軸３の先端部にはダイヤビット４が設けられている。
【００２３】
ところで、図３に示されるように、加振装置用モータ５の出力軸８とビット駆動軸３は同一軸線Ｐ上にあり、また上記２つの偏心ウエイト１５、１６は、ビット駆動軸３の軸線Ｐの互いに反対側でかつ上記軸線Ｐに直交する同一軸線Ｑ上に、軸線Ｐ、Ｑの交点から等距離の位置に対向するように配置されている。また、２つの偏心ウエイト１５、１６は装置本体２をア側からみたときと反対のイ側からみたときとで、一方が前方又は後方を向いているときは、他方も同じ側を向くように配置されている。
【００２４】
なお、装置本体２にはさらに電源コード２１とメインスイッチ２２と制御回路２３とが設けられている。制御回路２３は、加振装置用モータ５に対してはビット駆動軸用モータ６に遅延させて給電するように構成されている。このような遅延制御は、図４（ａ）に示されるように、制御回路２３で加振装置用モータ５への電源供給を遅延させるか、あるいは同図（ｂ）に示されるように、制御回路２３でビット駆動軸用モータ６の負荷を感知してから加振装置用モータ５へ電源を供給するかなどによって構成すればよい。
【００２５】
次に、上記コンクリートドリル１の作動態様について説明する。まずメインスイッチ２２を入れると、ビット駆動軸用モータ６が作動し、続いて加振装置用モータ５が作動する。
【００２６】
このように、ビット駆動軸用モータ６が作動すると、出力軸１７の回転は歯車１８、１９、２０を介してビット駆動軸３に伝達され、先端のダイヤビット４も回転するから、ダイヤビット４をコンクリート１２に押し付けることによりコンクリート１２を穿孔することができる。
【００２７】
次に、ビット駆動軸用モータ６の回転作動に遅れて加振装置用モータ５が作動する。このモータの出力軸８の回転はベベルギア９を介して対向するベベルギア１０、１１に伝達されるから、対向する２つの偏心ウエイト１５、１６は同時に逆方向に回転作動する。
【００２８】
ところで、偏心ウエイト１５、１６が互いに逆回転することにより、１回転の位相を９０°ずつずらしてみると、図３のように、コンクリートドリル１には次のような力が加えられる。（１）のときは偏心ウエイト１５は上方、偏心ウエイト１６は下方に回転し、装置本体２に捩り力を加える。（２）のときは偏心ウエイト１５は前方（ダイヤビット４側）、偏心ウエイト１６も前方に回転し、装置本体２に加振力を加える。（３）のときは偏心ウエイト１５は下方、偏心ウエイト１６は上方に回転し、装置本体２に捩り力を加える。（４）のときは、偏心ウエイト１５は後方、偏心ウエイト１６も後方に回転し、装置本体２に加振力を加える。
【００２９】
このように、コンクリートドリル１には、ビット駆動軸３の回転に対して、大きさが脈動して変化し、上記（２）（４）のときは、図３の矢印Ａに示されるように、ビット駆動軸３に沿った同位相の加振力、（１）（３）のときには、同図の矢印Ｂに示されるように、ビット駆動軸３の回転方向へ捩り力に基づく逆位相の加振モーメントがそれぞれ付与されることになる。以上をグラフに示せば、図５のようになる。
【００３０】
また、ビット駆動軸３と加振装置７とを同時に作動させることにより、起動時に加振力と加振モーメントが作用すると、加振装置７により装置本体２が微振動し、ダイヤビット４の先端がコンクリート１２の表面で跳ねるので、ダイヤビット４の位置決めがしづらくなる。しかし、加振装置用モータ５への給電をビット駆動軸用モータ６への給電に対して遅らせることにより、まず穿孔を開始して位置を正確に確保した後に加振装置７が作動することになり、位置決めが容易となる。
【００３１】
上述のように、上記コンクリートドリル１によれば、次の作用効果を得ることができる。（ａ）ビット駆動軸３の軸線方向に作用して大きさが脈動する加振力と、ビット駆動軸３の回転方向に作用して大きさが脈動する加振モーメントとをビット駆動軸に発生させるので、ドリル工具の押付力を作業者の押付力と加振力との総和とすることができ、加振力によって作業者の押付力を補うことができる。（ｂ）ビット駆動軸３の回転方向に大きさが脈動する加振モーメントを作用させることにより、ビット駆動軸３の回転トルクを駆動源の出力と加振モーメントとを足し合わせたものとすることができ、駆動源の出力だけによる回転トルクよりも増加させた状態を得ることができる。したがって、小さな押付力での穿孔が可能となり、穿孔速度の向上を図ることができる。（ｃ）軸方向への加振力と回転方向へ加振モーメントを脈動して加えることにより、切粉を排出しやすくなるため、切粉の影響を受けにくくなり、安定した穿孔が可能となる。（ｄ）ダイヤビット４は押付力が不足している状態で穿孔を行なうと空回りして切れ味が低下してしまい、目出し作業等によってダイヤビット４をメンテナンスして切れ味を回復させることが必要となるが、本発明では、ビット駆動軸３の軸線方向とへの加振力と回転方向への加振モーメントを脈動して加えることにより、好適な状態で穿孔が行なえるので、ダイヤビット４が空回りしてしまうことを減少でき、ひいてはダイヤビット４のメンテナンス作業を低減できる。（ｅ）ビット駆動軸３の軸線に直交する同一軸線上にビット駆動軸３の軸線を挟んで略対称の位置に対向して配設された２つの偏心ウエイト１５、１６を、同一軸線上に配設した駆動軸による偏心ウエイト駆動部で互いに逆回転駆動して、加振力と加振モーメントとを発生させるので、ハンマードリルの打撃機構による打撃力や振動ドリルの振動機構による振動力の如く、ダイヤビット４などのビット工具を変位させ得るほどの力をビット工具に加えてコンクリート１２を衝撃破壊する機構となっておらず、静音施工が可能となる。（ｆ）偏心ウエイト１５、１６の起動を上記ビット駆動軸３の起動に対し遅延させることにより、ビット駆動軸３の回転駆動に遅延して加振力と加振モーメントとを発生させるので、ダイヤビット４の回転のみによって穿孔を開始して穿孔位置を正確に確保してから、加振力と加振モーメントとを伴った穿孔作業を行なうので、ダイヤビット４の穿孔位置への位置決めが容易となり、操作性が向上する。
【００３２】
なお、偏心ウエイト１５、１６の偏心量は加振力に基づいて決定すればよい。加振モーメントは偏心ウエイト１５、１６の軸線Ｐ、Ｑの交点からの距離を変更して調整すればよい。
【００３３】
ところで、本実施形態に係るコンクリートドリル１は、図６及び図７に示すように、エアホース２４を介して空気圧縮機などの給気手段（図示せず）と接続されており、給気手段から圧縮空気の供給を受けられるようになっている。給気手段から供給された圧縮空気は、中空に形成されたビット駆動軸３の軸方向の内部を通気経路３ａとして、ダイヤビット４の先端方向へと供給される。ダイヤビット４も中空であるので、図７に示すように、給気手段から供給された圧縮空気はビット駆動軸３の先端部すなわちダイヤビット４の先端から軸方向に向けて吹き出すようにビット開口部３ｂを先端部に設けた構成になっており、これにより穿孔により発生するコンクリート粉１２ａを外部に効率的に排出できるようになっている。
【００３４】
図８は、加振の有無、圧縮空気供給の有無による穿孔性能比較グラフであり、（１）が加振あり・圧縮空気供給ありの性能を示すグラフ、（２）が加振なし・圧縮空気供給ありの性能を示すグラフ、（３）が加振あり・圧縮空気供給なしの性能を示すグラフ、（４）が加振なし・圧縮空気供給なしの性能を示すグラフである。
【００３５】
このグラフが示すように、（１）加振あり・圧縮空気供給ありの場合、２００ｍｍの深さを順調に穿孔でき、穿孔終了までに、大きな速度変化は認められなかった。
【００３６】
また、（２）加振なし・圧縮空気供給ありの場合、穿孔開始して間もなく穿孔速度が低下したものの、２００ｍｍ深さまで穿孔することはできた。
【００３７】
また、（３）加振あり・圧縮空気供給なしの場合、序盤は順調だが、穿孔深さ１００ｍｍ前後から速度が低下し始め、その後１２０ｍｍを過ぎた辺りから、粉詰まりによりビットの回転が低下し始め、１４０ｍｍで穿孔が中断してしまった。
【００３８】
また、（４）加振なし・圧縮空気供給なしの場合、前半の穿孔速度は（２）と同様だが、深さ１００ｍｍ手前で粉詰まりし始め、ビットが穴の中で回転できなくなり１２０ｍｍで穿孔が中断してしまった。
【００３９】
上記の測定結果より、圧縮空気の供給を行うことで、従来と比較して乾式で深い穴が穿孔可能となることが分かる。すなわち、圧縮空気の供給を行わない場合、穴が浅い場合は大きな影響は無いが、穴が深くなるとコンクリート粉１２ａが排出されない影響が顕著となり、穴とビットの間に粉が詰まることで摩擦となりビットの回転を著しく低下させ、穿孔を継続することが出来なくなる。一方、圧縮空気の供給を行うようにしてビット内に給気を行って粉を穴の外に強制的に排出させることで、乾式で深い穴が穿孔可能となる。
【００４０】
また、上記の測定結果より、圧縮空気の供給を行うことで、加振の効果を最大限に発揮できることも分かる。
【００４１】
すなわち、（３）加振あり・圧縮空気供給なしの場合、穴の深さが１００ｍｍ前後から速度が低下し始めており、このときの穿孔速度は（４）加振なし・圧縮空気供給なしの場合に近くなっていることから、加振の効果が弱くなっていると考えられる。これは穴底の粉がビットに対するクッションとなってビットの食い付きを阻害しているためと推測される。また、その後は、粉の影響でビットの回転数が低下し始めて穿孔が継続できなくなっている。このことから、圧縮空気の供給を行わない場合、まず加振の効果が薄れて速度が低下し、その後粉詰まりでビット回転数が低下して穿孔継続が出来なくなると推測できる。
【００４２】
一方、（１）加振あり・圧縮空気供給ありの場合、上記（３）や（４）の圧縮空気供給なしの場合とは異なり、穴深さによる速度低下の傾向は見られない。
【００４３】
上記結果から、圧縮空気供給を行うことで、（ａ）圧縮空気により粉を穴から排出して粉詰まりを防止しビットの回転低下を防止する、という効果に加えて、（ｂ）加振に対する粉のクッション的な悪影響を排除できるので、加振の効果を最大限に発揮できるようになる、という効果を得られることが分かる。
【００４４】
このように、本実施形態によれば、ビット駆動軸３の内部に通気経路３ａを設けるとともに、この通気経路３ａに圧縮空気を供給可能に形成し、通気経路３ａに供給された圧縮空気がダイヤビット４の先端から吹き出すようにし、さらに加振方式なので、ダイヤビット４の先端部と穴底の接触圧が周期的に変化する。そのため、接触圧が高い時には圧縮空気が吹き出しにくく（流れにくく）なり、接触圧が低下した時には圧縮空気が吹き出されるので、脈動が発生する。さらに、圧縮空気が吹き出されない時はダイヤビット４内で圧縮空気圧が高まるので、より大きな脈動を有した非定常流になり、粉が排出されやすかったり、排出された粉が決まった位置に溜まりにくいので、ダイヤビット４の先端から吹き出す圧縮空気によってコンクリート粉１２ａの排出を効率的に行うことができ、コンクリート粉１２ａがクッションとなって加振装置７の機能が低下する問題が発生せず、加振装置７の機能を最大限発揮させることができる。
【００４５】
また、加振装置７により作り出される圧縮空気の非定常流により、コンクリート粉１２ａの排出性能が向上したので、深い穴の穿孔作業においても、穿孔速度が低下することがなくなる。
【００４６】
なお、本実施形態では加振装置７をビット駆動軸３の同一軸線上に配置した構成としたが、たとえばビット駆動軸用モータ６の位置のように、ビット駆動軸３と平行な軸線上に配置した構成でも良い。
【００４７】
また、本実施形態では圧縮空気をダイヤビット４の先端方向から吹き出すようにしたが、これに限らず、穿孔時は穴底とダイヤビット４の先端部付近にコンクリート粉１２ａが詰まりやすいことから、ダイヤビット４の周囲やビット駆動軸３の先端周辺から吹き出すようにしてもよい。
【符号の説明】
【００４８】
１  コンクリートドリル
２  装置本体
３  ビット駆動軸
３ａ  通気経路
３ｂ  ビット開口部
４  ダイヤビット
５  加振装置用モータ
６  ビット駆動軸用モータ
７  加振装置
８  加振装置用モータの出力軸
９〜１１  ベベルギア
１２  コンクリート
１２ａ  コンクリート粉
１３、１４  ベベルギアの回転軸
１５、１６  偏心ウエイト
１７  ビット駆動軸用モータの出力軸
１８〜２０  歯車
２１  電源コード
２２  メインスイッチ
２３  制御回路
２４  エアホース
【図１】
2013215832.tif 000003
【図２】
2013215832.tif 000004
【図３】
2013215832.tif 000005
【図４】
2013215832.tif 000006
【図５】
2013215832.tif 000007
【図６】
2013215832.tif 000008
【図７】
2013215832.tif 000009
【図８】
2013215832.tif 000010